(57)【要約】      （修正有）【課題】最適な長さに調整することができ、長さの再変更を回避することができる伸縮タイプの玩具のバットを提供する。【解決手段】バッティングユニットと、把持ユニットと、中空ロックユニットとを含む。バッティングユニットは、一方の端に可撓性の結合部材が設けられ、内部に開口を有する収容空間が設けられ、結合部材は外、内周縁にそれぞれ第１のネジ部や結合部が設けられる。把持ユニットは、一方の端で前記結合部材を介してバッティングユニット内に可動に結合し、外周縁に複数の位置決め部を含む位置決めエリアが設けられ、これによって結合部をいずれかの位置決め部に結合させる。中空ロックユニットは、内壁に第１のネジ部に対応する第２のネジ部が設けられ、結合部材の外部に結合する。【選択図】図１
0003161190.tif 000002
【実用新案登録請求の範囲】
【請求項１】
一方の端に可撓性の結合部材が設けられ、その内部に開口を有する収容空間が設けられ、前記収容空間が前記結合部材に連通され、前記結合部材は外周縁に第１のネジ部が設けられ、内周縁に結合部が設けられるバッティングユニットと、
一方の端が前記結合部材を介して前記バッティングユニット内に可動に結合し、その外周縁に複数の位置決め部を含む位置決めエリアが設けられ、これによって前記結合部がいずれかの位置決め部に結合する把持ユニットと、
内壁に前記第１のネジ部に対応する第２のネジ部が設けられ、これによって前記結合部材の外部に結合する中空ロックユニットとを含み、
前記中空ロックユニットを回すと、前記結合部と複数の位置決め部の一つとを互いにしっかりと結合させる又は互いに離脱させることができる
伸縮タイプの玩具のバット。
【請求項２】
前記中空ロックユニットは、錐状体である請求項１に記載の伸縮タイプの玩具のバット。
【請求項３】
前記位置決め部のそれぞれは、環状の凹溝であり、
前記結合部材の結合部は、複数の環状の凹溝の一つに係合するための環状の凸溝である請求項１に記載の伸縮タイプの玩具のバット。
【請求項４】
前記位置決め部のそれぞれは、環状の凹溝であり、
前記結合部材の結合部は、環状の凹溝の一つに係合するための少なくとも一つのバンプを含む請求項１に記載の伸縮タイプの玩具のバット。
【請求項５】
前記把持ユニットはその外周縁に、更に複数の指示部が設けられ、
複数の指示部は、把持ユニットの位置決めエリアに設けられる請求項１に記載の伸縮タイプの玩具のバット。
【請求項６】
前記結合部材は、少なくとも二つのシートにより構成され、
前記位置決め部のそれぞれは、環状の凹溝であり、
前記結合部材の結合部は、複数の環状の凹溝の一つに係合するための、前記シートの内周縁に設けられる少なくとも一つの円弧状の凸溝を含む請求項１に記載の伸縮タイプの玩具のバット。
【考案の詳細な説明】
【技術分野】
【０００１】
本考案はバットに関し、特に、好適な構造安定性を有し、異なるユーザの要求に応じて最適な使用長さに調整することができる伸縮タイプの玩具のバットに関する。
【背景技術】
【０００２】
野球は国民に最も注目されているスポーツの一つであり、特に、近年はブームになっている。試合を見る他に、直接に野球に参加する人はその数が年々増えていて、またその年齢もだんだん若齢化する傾向がある。
【考案の概要】
【考案が解決しようとする課題】
【０００３】
野球をやる場合、バットは不可欠な道具の一つであるが、バットを選んで購入する時、用いられるバットの長さは打者の身長により決定される。従って、年が若い打者にとって、通常の成人用のバットは使用できず、特定のサイズのバットを選んで購入する必要がある。
【０００４】
しかし、一般のバットはその長さが一定であり、このような単一サイズのバットは、特定の身長範囲である使用者のみが適用できる。野球の試合をやる場合、同じチームの打者の身長が同じ又は近いとは限らないため、個別の打者のニーズに合うように複数のバットを選んで購入する必要がある。これでは面倒になるだけでなく、コストの面でも負担になる。
【０００５】
そして、異なるサイズのバットを購入することにより個別の打者のニーズに合うことができても、市販されている一般のバットはそのサイズの選択性が非常に制限されるため、最適なバットを得られない場合、一部の打者は自分に適合しないバットでバッティングせざるを得ない。
【０００６】
このような事情に鑑みて、本考案者は上記した欠点を改善するために、異なるユーザの要求に応じて最適な使用長さに調整することができ、好適な構造安定性を有する伸縮タイプの玩具のバットを提案した。
【０００７】
本考案の主な目的は、異なるユーザの要求に応じて、最適な使用長さに調整することができる伸縮タイプの玩具のバットを提供することにある。
【０００８】
本考案の他の目的は、好適な構造安定性を有することによって、その長さが調整された後、調整された構造全体を保持し、その長さの再変更を回避することができる伸縮タイプの玩具のバットを提供することにある。
【課題を解決するための手段】
【０００９】
本考案は上記した目的を達成するために、一方の端に可撓性の結合部材が設けられ、その内部に開口を有する収容空間が設けられ、前記収容空間が前記結合部材に連通され、前記結合部材は外周縁に第１のネジ部が設けられ、内周縁に結合部が設けられるバッティングユニットと、一方の端で前記結合部材を介して前記バッティングユニット内に可動に結合し、前記一方の端に近い所に複数の位置決め部を含む位置決めエリアが設けられ、これによって前記結合部がいずれかの位置決め部に結合することができる把持ユニットと、内壁に前記第１のネジ部に対応する第２のネジ部が設けられ、これによって結合部材の外部に結合する中空ロックユニットとを含み、これによれば、前記中空ロックユニットを回すと、前記結合部と複数の位置決め部の一つとを互いにしっかりと結合させる又は互いに離脱させることができる伸縮タイプの玩具のバットを提供する。
【００１０】
実施する場合、前記中空ロックユニットは、錐状体であることが好ましい。
【００１１】
実施する場合、前記複数の位置決め部は、複数の環状の凹溝であることが好ましい。
【００１２】
実施する場合、前記結合部材の結合部は、複数の環状の凹溝の一つに係合するための少なくとも一つのバンプを含むことが好ましい。
【００１３】
実施する場合、前記結合部材の結合部は、複数の環状の凹溝の一つに係合するための一つの環状の凸溝であることが好ましい。
【００１４】
実施する場合、前記位置決めエリアに、更に複数の指示部が設けられることが好ましい。
【図面の簡単な説明】
【００１５】
【図１】本考案に係る伸縮タイプの玩具のバットの第１の実施形態を示す分解模式図である。
【図１Ａ】図１におけるａを示す拡大図である。
【図１Ｂ】図１におけるｂを示す拡大図である。
【図２】本考案に係る伸縮タイプの玩具のバットの第１の実施形態を示す組立模式図である。
【図３】本考案に係る伸縮タイプの玩具のバットの第１の実施形態を示す断面模式図である。
【図４】本考案に係る伸縮タイプの玩具のバットの第１の実施形態を示す使用状態図である。
【図５】本考案に係る伸縮タイプの玩具のバットの第２の実施形態におけるバッティングユニットを示す模式図である。
【考案を実施するための形態】
【００１６】
以下、本考案の特徴と作用を更に明らかにするために、図面を参照しながら実施形態によって詳細に説明する。
【００１７】
図１〜図３を参照すると、本考案に係る伸縮タイプの玩具のバット１の第１の好ましい実施形態を示す。ここで、該伸縮タイプの玩具のバット１は、バッティングユニット１０と、把持ユニット１２と、中空ロックユニット１４とを含む。
【００１８】
図１、１Ａ、２及び３に示すように、前記バッティングユニット１０は、一方の端に可撓性の結合部材１０２が設けられ、その内部に開口を有する収容空間１０４が設けられ、前記収容空間１０４が前記結合部材１０２に連通されて、前記結合部材１０２は外周縁に第１のネジ部１０２２が設けられ、内周縁に結合部１０２４が設けられる。ここで、本実施形態において、前記結合部材１０２の内周縁にある結合部１０２４は、環状の凸溝である。
【００１９】
前記結合部及び位置決め部の構造は、一例に過ぎず、上記した構造によって限定されない。例えば、前記結合部は、少なくとも一つのバンプとして設計してもよく、また、結合部を凹溝として設計すると同時に、位置決め部を凸溝として設計してもよい。言い換えれば、互いに対応して且つ互いに結合できるいずれの設計は、本考案の範囲に含まれる。
【００２０】
図１、１Ｂ、２及び３に示すように、前記把持ユニット１２は、一方の端部１２６が前記結合部材１４を介して前記バッティングユニット１０内に可動に結合し、この端部１２６に近い所に、前記結合部１０２４が結合するための複数の位置決め部１２２２を含む位置決めエリア１２２が設けられる。また、前記把持ユニット１２は、その外周縁に複数の指示部が設けられる。
【００２１】
本実施形態において、前記位置決め部１２２２のそれぞれは、その形状が結合部材１０２の結合部１０２４（即ち、環状の凸溝）に対応する環状の凹溝である。また、前記指示部１２４は数字として位置決めエリア１２に設けられ、これによって把持ユニット又はバット全体の長さを示す。
【００２２】
図１、２及び３に示すように、前記中空ロックユニット１４は錐状体であり、その内壁に、前記第１のネジ部１０２２に対応する第２のネジ部１４２が設けられる。
【００２３】
図３に示すように、前記把持ユニット１２の端部１２６は結合部材１０２を通してバッティングユニット１０の収容空間１０４に収容され、前記中空ロックユニット１４は前記第２のネジ部１４２を介してバッティングユニット１０の結合部材１０２の外部に結合する。
【００２４】
使用する場合、中空ロックユニット１４を回すことによって、バットの長さを調整する目的を達することができる。例えば、バットの長さを調整しようとすると、まず、把持ユニット１２の端部１２６をバッティングユニット１０の収容空間１０４に移入し、指示部１２４の数字マーク（例えば、図に示す２７〜３２）によって、把持ユニット１２の端部１２６の収容空間１０４への移入深さを決定する。
【００２５】
この時、図４に示すように、中空ロックユニット１４を時計回りに回し、中空ロックユニット１４の内壁にある第２のネジ部１４２と、結合部材１０２の外周縁にある第１のネジ部１０２２とをしっかりと噛み合わせ、その同時に、第１のネジ部１０２２と第２のネジ部１４２とのしっかりした噛み合いによる圧力により、結合部材１０２を径方向に内縮させ、さらに、結合部材１０２の内周縁にある結合部１０２４（即ち、環状の凸溝）を対応する位置決め部１２２２（即ち、環状の凹溝）に係合させ、バッティングユニット１０と把持ユニット１２とをしっかり結合させることができる。
【００２６】
バットの長さを再調整しようとすると、まず、中空ロックユニット１４を逆方向に回す（即ち、反時計回りに回す）ことによって、第１のネジ部１０２２と第２のネジ部１４２との間の噛み合いを緩ませることができ、その同時に、押されて径方向に内縮した結合部材１０２もその管径が元のサイズに戻し、結合部１０２４（即ち、環状の凸溝）と対応する位置決め部１２２２（即ち、環状の凹溝）とを分離させ、把持ユニット１２の端部１２６もバッティングユニット１０の収容空間１０４に自由に移動することができる。
【００２７】
図５を参照すると、本考案に係る伸縮タイプの玩具のバットの第２の好ましい実施形態を示し、説明の便宜上、第１の好ましい実施形態と同じ構造について同様の符号を付する。第２の好ましい実施形態が第１の好ましい実施形態と異なるところは、バッティングユニット１０’の結合部材１０２’が三つのシート１０２６により構成されるという点である。本実施形態において、結合部材１０２’の結合部１０２４’は、シート１０２６の内周縁にそれぞれ設けられる三つの円弧状の凸溝を含み、その第１のネジ部１０２２’がシート１０２６の外周縁に設けられる。
【００２８】
実施する場合、前記円弧状の凸溝は、第１の好ましい実施形態の位置決め部（即ち、環状凹溝）に係合できるものであるため、これによってバッティングユニット１０’と把持ユニットとを互いにしっかりと結合させることもできる。なお、上記した実施態様の他に、結合部材の結合部は、位置決め部に結合できる態様のものであればよく、本実施形態に開示されたものに限定されない。
【００２９】
以上のことを総じて言えば、本考案は予期した目的を達することができ、好適な構造安定性を有し、異なるユーザの要求に応じて最適な使用長さに調整することができる伸縮タイプの玩具のバットを提供する。本考案は産業上の利用価値が極めて高いため、法に基づいて出願する。
【００３０】
また、上記した説明と図面は、本考案の実施形態を説明するためのものだけであり、業者は本考案の技術及び精神から逸脱することなく、等価の部分的な変更と修飾を行うことができる。
【符号の説明】
【００３１】
１…伸縮タイプの玩具のバット、１０、１０’…バッティングユニット、１２…把持ユニット、１４…中空ロックユニット、１０２、１０２’ …結合部材、１０４、１０４’…収容空間、１２２…位置決めエリア、１２４…指示部、１２６…端部、１４２…第２のネジ部、１０２２、１０２２’…第１のネジ部、１０２４、１０２４’…結合部、１０２６…シート、１２２２…位置決め部
【図１】
0003161190.tif 000003
【図１Ａ】
0003161190.tif 000004
【図１Ｂ】
0003161190.tif 000005
【図２】
0003161190.tif 000006
【図３】
0003161190.tif 000007
【図４】
0003161190.tif 000008
【図５】
0003161190.tif 000009